(57)【要約】【課題】撮影装置やそれに接続するためのアダプターに対して堅牢且つ精密に素早く簡単に装着できる硬性鏡と、このような硬性鏡を有する硬性鏡システムとを、提供する。【解決手段】検査対象内に先端が挿入される挿入管１１と、挿入管１１の基端側においてこれと同軸となるように突出形成される円筒状の嵌合部１３と、嵌合部１３の外周面からその径方向における外側に向かって突出するように形成されるとともに、周方向において互いに所定の間隔を空けて離間するように配置される少なくとも二つのバイヨネット外爪１３ｃと、挿入管１１の内部に組み込まれるとともに、挿入管１１の先端の前方に存在する物体の像を形成して基端へ伝送する光学系とを備えるように、硬性鏡１を構成する。【選択図】    図１
2004173813.tif 000002
【特許請求の範囲】
【請求項１】
検査対象内に先端が挿入される挿入管と、
前記挿入管の基端側において突出形成される円筒状の嵌合部と、
前記嵌合部の外周面からその径方向における外側に向かって突出するように形成されるとともに、周方向において互いに所定の間隔を空けて離間するように配置される少なくとも２つのバイヨネット外爪と、
前記挿入管の内部に組み込まれるとともに、前記挿入管の先端の前方に存在する物体の像を形成して基端へ伝送する光学系と
を備えることを特徴とする硬性鏡。
【請求項２】
前記嵌合部の基端側においてこれと同軸となるように突出形成された円筒状の挿通部を、更に備える
ことを特徴とする硬性鏡。
【請求項３】
前記各バイヨネット外爪は、耳状に形成されている
ことを特徴とする請求項１又は２記載の硬性鏡。
【請求項４】
前記各バイヨネット外爪は、前記嵌合部の軸に直交する面内に含まれるように配置されている
ことを特徴とする請求項３記載の硬性鏡。
【請求項５】
撮影装置内の撮像素子の撮像面に像を形成するための光学系が収容される筐体に対してマウントが設置されているとともに、前記マウントを介して硬性鏡が前記筐体に取り付けられた状態で用いられる硬性鏡システムであって、
前記硬性鏡は、
検査対象内に先端が挿入される挿入管と、
前記挿入管の基端側において突出形成される円筒状の嵌合部と、
前記嵌合部の外周面からその径方向における外側に向かって突出するように形成されるとともに、周方向において互いに所定の間隔を空けて離間するように配置される少なくとも２つのバイヨネット外爪と、
前記挿入管の内部に組み込まれるとともに、前記挿入管の先端の前方に存在する物体の像を形成して基端へ伝送する光学系と
を備え、
前記マウントは、
一方の端部に内方フランジを有する円筒状の被嵌合部と、
前記被嵌合部の内周面において径方向に沿って内側に向かって突出するように形成されるとともに、前記嵌合部が前記被嵌合部と同軸に配置された場合においてその軸方向に視線を向けて見たときに前記各バイヨネット外爪とは重ならない箇所に配置される前記バイヨネット外爪と同数のバイヨネット内爪と、
前記各バイヨネット内爪の周方向における一方側の端部近傍において、内方フランジ側に向かって突出形成されたストッパーと、
前記各バイヨネット内爪と前記内方フランジとの間にバイヨネット外爪が位置している場合に、各バイヨネット外爪を軸方向へ付勢する付勢手段と
を備える
ことを特徴とする硬性鏡システム。
【請求項６】
前記硬性鏡は、前記嵌合部の基端側においてこれと同軸となるように突出形成された円筒状の挿通部を、更に備え、
前記マウントは、前記内方フランジの内周縁から前記被嵌合部の外側に向かって突出形成されるとともに前記挿通部を挿通可能な円筒状の被挿通部を、更に備える
ことを特徴とする請求項５記載の硬性鏡システム。
【請求項７】
前記付勢手段は、板バネである
ことを特徴とする請求項５又は６記載の硬性鏡システム。
【発明の詳細な説明】
【０００１】
【発明の属する技術分野】
本発明は、医療分野や工業分野において用いられる硬性鏡及び硬性鏡システムに、関する。
【０００２】
【従来の技術】
周知のように、従来の硬性鏡は、検査対象内に先端が挿入される挿入管を、有しており、挿入管の内部には、その先端側から基端側へ検査対象の像を伝送する対物光学系及びリレー光学系が、組み込まれている。また、挿入管の基端には、上記各光学系が伝送した検査対象の像を拡大観察可能にする接眼レンズを保持する接眼部が、固定されている。
【０００３】
近年、硬性鏡を撮影装置に装着することにより、硬性鏡の接眼レンズにより形成される検査対象の像をモニタに出力することが、一般に行われており、硬性鏡と撮影装置とが組み合わされてできるシステムが、硬性鏡システムとして利用されている。
【０００４】
硬性鏡を撮影装置に接続する方法としては、所定のマウント規格の被装着部を撮影装置側に設けておくとともに、同じマウント規格の装着部を有するアダプターを用意し、接眼部に取り付けたアダプターを撮影装置に取り付ける方法がある（例えば特許文献１，２及び非特許文献１参照）。また、撮影装置側にＣマウント規格の被装着部を設けておくとともに、硬性鏡の接眼部の基端にＣマウント規格の装着部を設けておく方法もある（例えば非特許文献２参照）。
【０００５】
なお、図１２は、硬性鏡の接眼部を上記アダプターを介して撮影装置に取り付けた状態を示す側面図である。この図１２に示されるように、円錐台状に形成されている部分を有する硬性鏡３の接眼部３１に対して着脱されるアダプター４は、円筒形の鏡筒４１を有しており、鏡筒４１の基端が、Ｃマウント規格の装着部及び被装着部（ともに図示略）を介して、撮影装置５に着脱可能に装着される。また、鏡筒４１の先端には、接眼部３１用の装着部４２が設けられている。この装着部４２は、接眼部３１を挿入可能な有底の円筒状に形成されており、接眼部３１の円錐台状の部分をその底部に向けて付勢するクランプ（く字状に折り曲げられた一対の腕を持つ鋏状の両開きクランプ）４３が、設けられている。
【０００６】
そして、硬性鏡３を撮影装置５に装着する際には、作業者は、硬性鏡３の接眼部３１の円錐台状の部分をアダプター４の装着部４２に挿入し、クランプ４３にて接眼部３１を挟むことにより、硬性鏡３をアダプター４に固定し、硬性鏡３と一体のアダプター４をその軸回りに回転させながら、アダプター４を撮影装置５に装着する。従って、アダプター４を利用して硬性鏡３を撮影装置５に固定する場合、従来の硬性鏡３内の光学系の光軸と、アダプター４内の光学系や撮影装置５内の光学系の光軸とを、ある精度をもって簡単に同軸にすることができ、然も、従来の硬性鏡３を無駄にすることなく、硬性鏡３により得られる物体像を手軽にモニタに出力することができる。
【０００７】
【特許文献１】
特開平０４−３７１１３２号公報
【特許文献２】
実開平０１−１０５９２１号公報
【非特許文献１】
“内視鏡用Ｃマウントレンズ”、［ｏｎｌｉｎｅ］、ｔｍａｔｓｕｉ、［平成１４年１１月１２日検索］、ｈｔｔｐ：／／ｈｏｍｅ．ａｔｔ．ｎｅ．ｊｐ／ｓｕｒｆ／ｋｍ／４ｆｂ６９１．ｈｔｍ
【非特許文献２】
“Ｎｅｗｓ  ＣマウントカラーＣＣＤカメラ「ＯＨ−４１２」”、［ｏｎｌｉｎｅ］、ＯＬＹＭＰＵＳＰＲＯＭＡＲＫＥＴＩＮＧ，  ＩＮＣ．  、［平成１４年１１月１２日検索］、ｈｔｔｐ：／／ｗｗｗ．ｏｌｙｍｐｕｓ−ｐｍ．ｃｏ．ｊｐ／ｒｖｉ／ｐｄｔ／ｉ＃ｏｈ４１２．ｈｔｍｌ
【０００８】
【発明が解決しようとする課題】
しかしながら、図１２に示される構成の場合、クランプ４３により硬性鏡３の接眼部３１を挟むという機構であるので、実際には、硬性鏡３がアダプター４に堅牢に固定されないため、硬性鏡３を利用して検査対象を検査していると、従来の硬性鏡３内の光学系の光軸が、アダプター４内の光学系の光軸に対してずれることがあった。
【０００９】
また、アダプターを介さずに硬性鏡を撮影装置に直接装着する場合であっても、Ｃマウントはスクリューマウントであるため、着脱時に、硬性鏡を撮影装置に対して数回転させる必要があった。このため、着脱作業に時間と手間が掛かっていた。
【００１０】
本発明は、上述したような従来の事情に鑑みてなされたものであり、その課題は、撮影装置やそれに接続するためのアダプターに対して堅牢且つ精密に素早く簡単に装着できる硬性鏡と、このような硬性鏡を有する硬性鏡システムとを、提供することにある。
【００１１】
【課題を解決するための手段】
上記の課題を解決するために、本発明による硬性鏡は、以下のような構成を採用した。
【００１２】
すなわち、本発明による硬性鏡は、検査対象内に先端が挿入される挿入管と、前記挿入管の基端側において突出形成される円筒状の嵌合部と、前記嵌合部の外周面からその径方向における外側に向かって突出するように形成されるとともに、周方向において互いに所定の間隔を空けて離間するように配置される少なくとも２つのバイヨネット外爪と、前記挿入管の内部に組み込まれるとともに、前記挿入管の先端の前方に存在する物体の像を形成して基端へ伝送する光学系とを備えることを、特徴としている。
【００１３】
また、上記の課題を解決するために、本発明による硬性鏡システムは、以下のような構成を採用した。
【００１４】
すなわち、本発明による硬性鏡システムは、撮影装置内の撮像素子の撮像面に像を形成するための光学系が収容される筐体に対してマウントが設置されているとともに、前記マウントを介して硬性鏡が前記筐体に取り付けられた状態で用いられる硬性鏡システムであって、前記硬性鏡は、検査対象内に先端が挿入される挿入管と、前記挿入管の基端側において突出形成される円筒状の嵌合部と、前記嵌合部の外周面からその径方向における外側に向かって突出するように形成されるとともに、周方向において互いに所定の間隔を空けて離間するように配置される少なくとも２つのバイヨネット外爪と、前記挿入管の内部に組み込まれるとともに、前記挿入管の先端の前方に存在する物体の像を形成して基端へ伝送する光学系とを備え、前記マウントは、一方の端部に内方フランジを有する円筒状の被嵌合部と、前記被嵌合部の内周面において径方向に沿って内側に向かって突出するように形成されるとともに、前記嵌合部が前記被嵌合部と同軸に配置された場合においてその軸方向に視線を向けて見たときに前記各バイヨネット外爪とは重ならない箇所に配置される前記バイヨネット外爪と同数のバイヨネット内爪と、前記各バイヨネット内爪の周方向における一方側の端部近傍において、内方フランジ側に向かって突出形成されたストッパーと、前記各バイヨネット内爪と前記内方フランジとの間にバイヨネット外爪が位置している場合に、各バイヨネット外爪を軸方向へ付勢する付勢手段とを備えることを、特徴としている。
【００１５】
これらのように構成されるので、硬性鏡の各バイヨネット外爪がマウントの各バイヨネット内爪の間を通過しつつ、硬性鏡の嵌合部及び各バイヨネット外爪がマウントの被嵌合部に挿入され、その後、硬性鏡の各バイヨネット外爪がマウントの被嵌合部の内方フランジに当て付けられた状態で、硬性鏡が軸回りに回転されると、各バイヨネット外爪が、隣接する各バイヨネット内爪の端部にあるストッパーに当て付けられ、軸方向に視線を向けて見た状態において、各バイヨネット外爪が、隣接する各バイヨネット内爪と重なり、各バイヨネット外爪が付勢手段により軸方向における一方側に向かって付勢される。このように付勢されたバイヨネット外爪は、当て付けられた面との間の摩擦力により回転方向を規制され、且つ、軸方向への移動を規制されるので、このバイヨネット外爪と一体である硬性鏡は、マウントに対して堅牢に固定される。従って、硬性鏡の利用者は、少ない回転角で硬性鏡を回転させるだけで、極めて簡単に且つ素早く、硬性鏡をマウントに堅牢に固定することができる。然も、各バイヨネット内爪の軸側の縁が、硬性鏡の嵌合部の外周面にほぼ当接するために、硬性鏡内の光学系の光軸を、マウントが設置された筐体内の光学系の光軸に対し、精密に同軸にすることができる。
【００１６】
なお、本発明による硬性鏡及び硬性鏡システムにおいては、硬性鏡が、嵌合部の基端側においてこれと同軸となるように突出形成された円筒状の挿通部を、更に備え、マウントが、内方フランジの内周縁から被嵌合部の外側に向かって突出形成されるとともに挿通部を挿通可能な円筒状の被挿通部を、更に備えていてもよい。このように構成されると、この被挿通部の内径が、挿通部の外径と同じ大きさであれば、硬性鏡をマウントに取り付けた際に、マウントが設置された筐体内の光学系の光軸と硬性鏡内の光学系の光軸とを容易に且つ精度良く同軸にすることができる。
【００１７】
また、本発明による硬性鏡及び硬性鏡システムにおいては、付勢手段は、バイヨネット外爪を付勢する板バネであっても良いし、バイヨネット外爪自身、或いはバイヨネット内爪自身が付勢部材として構成されていても良い。後者の場合、バイヨネット外爪は、軸方向における一方の側面が当付面として構成され、反対側の側面に板バネやゴムなどの弾性体が取り付けられるように構成されることができる。また、バイヨネット内爪は、バイヨネット外爪が当て付けられる側面に板バネやゴムなどの弾性体が取り付けられるように構成されることができる。
【００１８】
また、本発明による硬性鏡及び硬性鏡システムにおいては、硬性鏡に嵌合部及びバイヨネット外爪が形成されていても良いし、硬性鏡に被嵌合部及びバイヨネット内爪が形成されていても良い。但し、硬性鏡が医療用のものである場合には、洗浄容易性の観点から、硬性鏡に嵌合部及びバイヨネット外爪が形成されてる方が、好ましい。
【００１９】
さらに、本発明による硬性鏡及び硬性鏡システムにおいては、硬性鏡がマウントに取り付けられた際に、硬性鏡がマウントから外れないようにするためのロック機構が、硬性鏡及びマウントに取り付けられていても良い。このロック機構は、一般に市販されるカメラに設けられているものと同様のものとすることができる。
【００２０】
【発明の実施の形態】
以下、図面に基づいて本発明の実施形態を説明する。
【００２１】
図１は、本発明の実施形態である硬性鏡１の斜視図であり、図２は、この硬性鏡１の側面図であり、図３は、図２の右側からこの硬性鏡１を見たときの背面図である。
【００２２】
硬性鏡１は、検査対象内に先端が挿入される挿入管１１を、有している。この挿入管１１の基端は、その外径と同じ内径を有する円筒状の保持部材１２に、挿入されている。保持部材１２の側面には、図示せぬ光源装置から延びるライトガイドの先端が接続される口金１２ａが、形成されている。さらに、保持部材１２の基端面には、接続部１３が固定されている。
【００２３】
接続部１３の外形形状は、一端に内方フランジが形成された円筒と、この円筒の外側において内方フランジの内周縁に対してこの円筒と同軸に接する円筒とを、一体に形成したものと等価な形状である。以下、接続部１３における径の太い部分１３ａを、嵌合部と表記し、径の細い部分１３ｂを、挿入部と表記する。
【００２４】
嵌合部１３ａは、保持部材１２と同軸な状態でこの保持部材１２の基端面から突出形成されている。この嵌合部１３ａは、保持部材１２の外径よりも小さい外径を有し、その側面における基端側の縁には、軸に直交する径方向に沿って突出する三つのバイヨネット外爪１３ｃ，１３ｃ，１３ｃが、形成されている。
【００２５】
三つのバイヨネット外爪１３ｃ，１３ｃ，１３ｃは、何れも同じ大きさの耳状に形成されており、その形状は、具体的には、嵌合部１３ａの外径よりも大きい半径で頂角がおよそ４５°の扇形から、嵌合部１３ａの外径と同じ大きさの半径で頂角が同じ角度の扇形を切り取ったのと等価な形状である。このような形状を有する三つのバイヨネット外爪１３ｃ，１３ｃ，１３ｃは、周方向に沿って１２０°間隔にて配置されている。
【００２６】
そして、挿入管１１，保持部材１２，並びに、接続部１３の嵌合部１３ａ及び挿入部１３ｂの内部には、検査対象の像を伝送する対物光学系及びリレー光学系が、組み込まれている。但し、図１乃至図３では、これら光学系の図示が省略されている。
【００２７】
また、挿入管１１の先端部から挿入管１１及び保持部材１２を通って口金１２ａまでの間に、多数の光ファイバが内蔵されている。これら光ファイバは、口金１２ａにライトガイド（図示略）の先端が固定されると、そのライトガイドによって図示せぬ光源装置から導かれた照明光を、挿入管１１の先端まで導く。但し、図１乃至図３には、これら光ファイバの図示が省略されている。
【００２８】
図４は、本発明の実施形態である光学系用筐体Ｂの斜視図であり、図５は、この光学系用筐体Ｂの縦断面図であり、図６は、この光学系用筐体Ｂの正面図である。
【００２９】
光学系用筐体Ｂは、例えば、撮影光学系や撮像素子などを内蔵するビデオカメラの筐体であっても良いし、検査対象の像をビデオカメラの撮影光学系へリレーするリレー光学系の筐体であっても良いし、接眼光学系の筐体であっても良いし、ビデオカメラ用のアダプターであっても良い。本実施形態では、光学系用筐体Ｂは、直方体状の外形を有しており、その一側面には、それに内蔵される光学系と同軸な円形の開口（図示略）が形成されている。そして、この側面における開口（図示略）部分に、上記硬性鏡１を取り付けるためのマウント２が、固定されている。
【００３０】
マウント２の外形形状は、一端に内方フランジが形成された円筒と、その内方フランジの内周縁においてこの円筒と同軸に接する円筒とを、一体に形成したものと等価な形状である。以下、このマウント２における径の細い部分２１を、被挿入部と表記し、径の太い部分２２を、被嵌合部と表記する。
【００３１】
被挿入部２１は、硬性鏡１の挿入部１３ｂの外径とほぼ同じ大きさの内径を有しているとともに、上記開口の内径とほぼ同じ大きさの外径を有している。そして、被挿入部２１は、上記開口に挿入されており、嵌合部２２の内方フランジ２２ａの外面が、光学系用筐体Ｂの側面における上記開口の周囲に対して当て付けられた状態で、マウント２が、光学系用筐体に固定されている。
【００３２】
被嵌合部２２は、軸方向において扁平に形成されており、挿入部２１が有る側とは反対側の端部にも、内方フランジ２２ｂを有する。この内方フランジ２２ｂの内径は、上記硬性鏡１の嵌合部１３ａの外径とほぼ同じ大きさである。また、この内方フランジ２２ｂには、三つの切り欠き２２ｃ，２２ｃ，２２ｃが、形成されている。
【００３３】
三つの切り欠き２２ｃ，２２ｃ，２２ｃは、上記硬性鏡１の三つのバイヨネット外爪１３ｃ，１３ｃ，１３ｃとほぼ同じ形状に形成されており、これらバイヨネット外爪１３ｃと同じ大きさか若干大きい大きさを有している。このような形状を有する三つの切り欠き２２ｃ，２２ｃ，２２ｃは、周方向に沿って１２０°間隔にて配置されている。なお、周方向において三つの切り欠き２２ｃ，２２ｃ，２２ｃに挟まれた部分は、いわゆるバイヨネット内爪として機能する。
【００３４】
そして、被嵌合部２２の内部には、付勢リング２３が内蔵されている。図７は、付勢リング２３の正面図であり、図８は、付勢リング２３の背面側の斜視図である。付勢リング２３は、軸方向に視線を向けて見たときの内方フランジ２２ｂと同じような形状に、形成されている。具体的には、輪帯状の金属板の内周縁に、上記切り欠き２２ｃと同じ形状且つ同じ大きさの三つの切り欠き２３ａ，２３ａ，２３ａが、形成されており、これら切り欠き２３ａが、周方向に沿って１２０°間隔に形成されている。
【００３５】
また、付勢リング２３は、その周方向において切り欠き２３ａ，２３ａに挟まれた部分（上記バヨネット内爪に相当する部分）に、略Ｌ字状の切り込み（軸側の縁辺のほぼ中心から径方向に沿って切り込まれるとともに、外周縁に達する前に図７の時計回り方向に沿って切り込まれてできる切り込み）２３ｂ，２３ｂ，２３ｂを有しており、これら切り込み２３ｂにて囲まれる片２３ｃ，２３ｃ，２３ｃが、く字状に折り曲げられることによって、板バネとして構成されている。
【００３６】
また、付勢リング２３は、周方向において切り欠き２３ａ，２３ａに挟まれた部分における片２３ｃ，２３ｃ，２３ｃの無い領域に、円形の窪み２３ｄ，２３ｄ，２３ｄを有している。この円形の窪み２３ｄは、板バネ２３ｃが折り曲げられている側とは反対側に形成されている。そして、被嵌合部２１の被挿入部２１側とは反対側にある内方フランジ２２ｂの内面における図６の破線で示される位置には、この円形の窪みに嵌り込む円形の突子２２ｄ，２２ｄ，２２ｄが、形成されており、この突子２２ｄに円形の窪み２３ｄが嵌まり込むと、付勢リング２３が被嵌合部２２に対して位置決めがなされた状態で、付勢リング２３における窪み２３ｄが有る側の側面が、内方フランジ２２ｂの内面に接する。なお、付勢リング２３が被嵌合部２２に対して位置決めがなされると、付勢リング２３の各切り欠き２３ａが、被嵌合部２２の各切り欠き２２ｃと重なる。
【００３７】
さらに、突子２２ｄが窪み２３ｄに嵌り込んだ状態で内方フランジ２２ｂの内面に当て付けられた付勢リング２３は、円柱状の固定部材（図示略）によって、内方フランジ２２ｂに押さえ付けられる。この固定部材は、内方フランジ２２ｂの内側に当て付けられた付勢リング２３の側面から反対側の内方フランジ２２ａの内面までの長さと同じ長さを有しており、且つ、上記窪みの直径とほぼ同じ直径を有している。そして、固定部材は、上記突子２２ｄ，２２ｄ，２２ｄとの間で付勢リング２３を挟み付ける状態で、被嵌合部２２内に収容され、被嵌合部２２における被挿入部２１側の内方フランジ２２ａの内面に固定されている。
【００３８】
本実施形態の硬性鏡１及びマウント２が以上のように構成されているので、この硬性鏡１を利用する利用者は、まず、硬性鏡１の接続部１３の挿入部１３ｂをマウント２の被嵌合部２２の内方フランジ２２ｂに挿入し、切り欠き２２ｃ，２２ｃ，２２ｃにバイヨネット外爪１３ｃ，１３ｃ，１３ｃを通過させつつ（図９の状態）、挿入部１３ｂを被挿入部２１内に挿入するとともに、嵌合部１３及びバイヨネット外爪１３ｃを被嵌合部２２内に挿入し、続いて、被嵌合部２２における被挿入部２１側の内方フランジ２２ａの内面にバイヨネット外爪１３ｃ，１３ｃ，１３ｃを当て付け、その後、硬性鏡１をその軸回りに回転させる。すると、被嵌合部２２における挿入部２１側の内方フランジ２２ａの内面と板バネ２３ｃ，２３ｃ，２３ｃとの間にバイヨネット外爪１３ｃ，１３ｃ，１３ｃが挿入されながら（図１０の状態）、硬性鏡１が略６０°回転した時点で、バイヨネット外爪１３ｃ，１３ｃ，１３ｃが各固定部材２４，２４，２４に当て付けられて、硬性鏡１の回転が規制される。従って、固定部材２４は、ストッパーとして機能する。その状態において、バイヨネット外爪１３ｃ，１３ｃ，１３ｃは、被嵌合部２２における被挿入部２１側の内方フランジ２２ａの内面に付勢される。なお、このときの状態が、図１１に示されている。
【００３９】
このように板バネ２３ｃ，２３ｃ，２３ｃにて付勢されたバイヨネット外爪１３ｃ，１３ｃ，１３ｃは、内方フランジ２１ａの内面との間の摩擦力により、回転方向へスライドすることを規制されるとともに、周方向における切り欠き２２ｃ，２２ｃ，２２ｃに挟まれた部分（バイヨネット内爪に相当する部分）によって、軸方向へ移動することを規制される。そのため、このバイヨネット外爪１３ｃ，１３ｃ，１３ｃと一体に形成されている硬性鏡１は、光学系用筐体Ｂに対して堅牢に固定される。
【００４０】
従って、硬性鏡１の利用者は、略６０°だけ硬性鏡を回転させるだけで、極めて簡単に且つ素早く、硬性鏡を光学系用筐体Ｂに堅牢に固定することができる。然も、被嵌合部２２における被挿入部２１側とは反対側にある内方フランジ２２ｂの内径が、硬性鏡１の嵌合部１３ａの外径とほぼ同じであるために、硬性鏡１をマウント２に取り付けるだけで、簡単に、硬性鏡１内の光学系の光軸と光学系用筐体Ｂ内の光学系の光軸とを精密に同軸にすることができる。さらに、硬性鏡１の挿入部１３ｂがマウント２の被挿入部２１に挿入されることにより、硬性鏡１内の光学系と光学形用筐体Ｂ内の光学系の光軸の同軸が、より保たれ易くなる。
【００４１】
なお、本実施形態では、硬性鏡１の接続部１３が三つのバイヨネット外爪１３ｃを有しているとして説明したが、これに限定されるものではない。例えば、接続部１３は、二つのバイヨネット外爪を有していても良いし、四つ以上のバイヨネット外爪を有していても良い。但し、何れの場合も、マウント２の被嵌合部２２が、接続部１３のバイヨネット外爪の数と同数だけ、切り欠き２２ｃを有している必要がある。
【００４２】
【発明の効果】
以上に説明したように、本発明によれば、硬性鏡を、撮影装置やそれに接続するためのアダプターに対して堅牢且つ精密に素早く簡単に装着することができる。
【図面の簡単な説明】
【図１】本実施形態の硬性鏡の斜視図
【図２】硬性鏡の側面図
【図３】硬性鏡の背面図
【図４】光学系用筐体の斜視図
【図５】光学系用筐体の縦断面図
【図６】光学系用筐体の正面図
【図７】付勢リングの正面図
【図８】付勢リングの背面側の斜視図
【図９】軸方向に視線を向けて見たときにバイヨネット外爪と切り欠きとが重なっている状態を示す説明図
【図１０】軸方向に視線を向けて見たときにバイヨネット外爪とバイヨネット内爪とが重なっている状態を示す説明図
【図１１】硬性鏡が取り付けられた光学系用筐体の縦断面図
【図１２】従来の硬性鏡をアダプターを介して撮影装置に取り付けた状態を示す側面図
【符号の説明】
１      硬性鏡
１１      挿入管
１２      保持部材
１３      接続部
１３ａ    嵌合部
１３ｂ    挿入部
１３ｃ    バイヨネット外爪
２      マウント
２１      被挿入部
２２      被嵌合部
２２ａ    内方フランジ
２２ｂ    内方フランジ
２２ｃ    切り欠き
２２ｄ    突子
２３      付勢リング
２３ａ    切り欠き
２３ｂ    切り込み
２３ｃ    片（板バネ）
２３ｄ    窪み
２４      固定部材（ストッパー）
Ｂ      光学系用筐体
【図１】
2004173813.tif 000003
【図２】
2004173813.tif 000004
【図３】
2004173813.tif 000005
【図４】
2004173813.tif 000006
【図５】
2004173813.tif 000007
【図６】
2004173813.tif 000008
【図７】
2004173813.tif 000009
【図８】
2004173813.tif 000010
【図９】
2004173813.tif 000011
【図１０】
2004173813.tif 000012
【図１１】
2004173813.tif 000013
【図１２】
2004173813.tif 000014